(57)【特許請求の範囲】
【請求項１】
想定外の津波にも生存必要空気量を確保するため、退避部屋の入口部に、水の侵入を許すが、漂流物、火災の侵入を許さない扉構造、または構築物を設置することを特徴とする津波退避部屋。
【請求項２】
前記扉は、扉自体に穴がない全面扉とし、パッキンを扉の左右と上方裏側もしくは横側、または入口の壁あるいはその両方に設けて防水とし、水の侵入部は扉の下の開口部からとしたことを特徴とする請求項１に記載の津波退避部屋用の入口扉構造。
【請求項３】
前記扉は、パッキンを設けない扉で、入口部の壁との間に隙間を設け水の侵入部とした穴のない全面扉、または水が侵入する多数の小穴を設けた扉、もしくは水が侵入する格子状、柵状や金網状の扉としたことを特徴とする請求項１に記載の津波退避部屋用の入口扉構造。
【請求項４】
前記扉の穴やその周辺の水の侵入部にフィルターや幕を設け、火災の侵入防止としたことを特徴とする請求項１、２または３のいずれかに記載の津波退避部屋用の入口扉構造。
【請求項５】
前記扉に、閉鎖した入口の扉が漂流物の衝撃で開かないよう、さらにはパッキンと密着するよう壁内側との間でかんぬきを設けたことを特徴とする請求項１、２、３、または４に記載の津波退避部屋用の入口扉構造。
【請求項６】
前記入口部を、扉構造に代わりにコンクリートブロック、レンガ、蛇篭積み、あるいはコンクリートパネルの落とし込みなどで前記構築物を構築することを特徴とする請求項１に記載の津波退避部屋用の入口構築物。
【請求項７】
津波で泥土の堆積が想定される地域の場合、脱出時に内部から除去できるよう、前記入口部の扉の下部にコンクリートブロック、レンガ、モルタル、ソイルセメントなど撤去しやすい材料でかまちを形成したことを特徴とする請求項１、２、３、４または５のいずれかに記載の津波退避部屋。
【請求項８】
前記扉、または構築物を設けた退避部屋の内部に、水の侵入部高さより高い仕切り壁を設けたことを特徴とする請求項請求項１、２、３、４、５、６または７のいずれかに記載の津波退避部屋。
【請求項９】
前記扉、または構築物を設けた退避部屋の内部に、水の侵入高さより高い高床、足場を設けたことを特徴とする請求項１、２、３、４、５、６、７または８のいずれかに記載の津波退避部屋。
【請求項１０】
前記水の侵入部高さより高い位置の側壁、天井沿いに上に凸の強化プラスチィック、防水シートなどを張ったことを特徴とする請求項１、２、３、４、５、６、７、８または９のいずれかに記載の津波退避部屋。
【発明の詳細な説明】
【技術分野】
【０００１】本発明は、想定外の津波にも、浸水は許すものの漂流物や火災の侵入を許さない扉構造とし、どこまでも安全に生存必要空気量を保持できるとした津波退避部屋に関する。
【背景技術】
【０００２】津波対策として高い防潮堤、高台、高い建物が有効であるといわれている。そこにいち早く逃げることである。しかし、高い防潮堤の構築や高台移転には巨額の予算と長い歳月を要する。沿岸部に高い建物があるとは限らない。しかも、いずれも想定外の津波にどこまでなら絶対安全という保証はない。災害は時と場所を選ばない。明日かもしれない巨大地震の発生確率が高まっている。日中の訓練があるにしても津波警報のたびに避難しているかというとそうでもなさそうだ。夜中や介護高齢者は行動を伴わない。津波がこない空振りもある。そういう時に、寺田寅彦先生の名言「天災は、忘れられたる頃来る」がある。幸いに、津波は地震のあとにしか来ない。到達時間も予想され、時間的余裕もある。しかし、予想と実際は異なることが多々ある。予想が大きすぎても現実味がない。オオカミ少年のたとえがある。想定外の津波では、すぐ逃げることができる退避部屋が、身近にあることが最も重要である。すなわち、日頃の避難訓練があるにしても遠いところに車で逃げる前提では集中渋滞は明らかで、晩酌後の飲酒運転はどうするのか。沿岸地域の住民は酒も飲めない。入浴中では着の身着のままである。そこで、身近の退避部屋が考えられている。ところが、退避部屋を完全密閉の構造体とすると大圧力がかかることは明白であり、それに耐える耐圧耐水の入口扉と全体の構造設計は容易でなく、扉も高価となり、構造壁も厚くなる。
【先行技術文献】
【特許文献】
【０００３】
【特許文献１】特願２０１１−１３３７０３
【特許文献２】特願２０１２−０８６０２１
【特許文献３】特願２０１２−０９６１４９
【発明の概要】
【発明が解決しようとする課題】
【０００４】津波退避部屋は、水没しても生存必要空気量を保持する必要がある。退避部屋に逃げ込むことから入口を設けるがここに構造的に解放入口とするか閉鎖式入口とするかで外力の負荷が大きく異なる。すなわち、前者は天井までの上昇水面で空気が圧縮されながらも保持できる方法で、後者は完全密閉で空気をそのまま保持するものである。退避部屋を完全密閉の構造体とすると大圧力がかかることは明白であり、想定外の津波では高さ設定も大きめとなり、それに耐える耐圧耐水の入口扉と全体の構造設計は安全率も明確でなく、かつ容易でなく、扉も高価となり、構造壁も厚くなる。そこで、入口解放の構造とすると、水が退避部屋に侵入し内外で水が連続し、その内外の圧力がバランスしていることから、どんなに大きな想定外の津波でも構造的な圧力問題はなく、上昇水面と天井との間に空気は圧縮されながらも保持できている。そこでは、漂流物の衝突、衝撃や火災の侵入、さらにすぐ入口頂点高さまで水位が上がるために退避部屋の中は水浸しで濡れる、そして生存空気量が入口頂点高さより上の空間体積量となるためにロスが生じる、中に衝撃防止壁を設ける場合は比較的高い壁とするため上り下りに労苦を要するなどの課題がある。これに対して、退避部屋のどこかに開口を設け、水を自由に透過させ、入口部には漂流物や火災を侵入させない扉を設けることで解決できる。
【課題を解決するための手段】
【０００５】このような課題を解決するために、本発明の津波退避部屋は、想定外の津波にも生存必要空気量を確保するため、退避部屋の入口部に、水の侵入を許すが、漂流物、火災の侵入を許さない扉構造、または構築物を設置することを特徴とする。【０００６】また、本発明の津波退避部屋用の入口扉構造は、前記扉は、前記扉自体に穴がない全面扉とし、パッキンを扉の左右及び上方裏側もしくは横側、または入口の壁あるいはその両方に設けて防水とし、水の侵入部は扉の下の開口部からとしたことを特徴とする。【０００７】また、本発明の津波退避部屋用の入口扉構造は、前記扉は、パッキンを設けない扉で、入口部の壁との間に隙間を設け水の侵入部とした穴のない全面扉、または水が侵入する多数の小穴を設けた扉、もしくは水が侵入する格子状、柵状や金網状の扉としたことを特徴とする。【０００８】また、本発明の津波退避部屋用の入口扉構造は、前記扉の穴やその周辺の水の侵入部にフィルターや幕を設け、火災の侵入防止としたことを特徴とする。【０００９】また、本発明の津波退避部屋用の入口扉構造は、前記扉に、閉鎖した入口の扉が漂流物の衝撃で開かないよう、さらにはパッキンと密着するよう壁内側との間でかんぬきを設けたことを特徴とする。【００１０】また、本発明の津波退避部屋用の入口構築物は、前記入口部を、扉構造に代わりにコンクリートブロック、レンガ、蛇篭積み、あるいはコンクリートパネルの落とし込みなどで前記構築物を構築することを特徴とする。【００１１】また、本発明の津波退避部屋は、津波で泥土の堆積が想定される地域の場合、脱出時に内部から除去できるよう、前記入口部の扉の下部にコンクリートブロック、レンガ、モルタル、ソイルセメントなど撤去しやすい材料でかまちを形成したことを特徴とする。
【請求項８】
また、本発明の津波退避部屋は、前記扉、または構築物を設けた退避部屋の内部に、水の侵入部高さより高い仕切り壁を設けたことを特徴とする。
【請求項９】
また、本発明の津波退避部屋は、前記扉、または構築物を設けた退避部屋の内部に、水の侵入高さより高い高床、足場を設けたことを特徴とする。
【請求項１０】
また、本発明の津波退避部屋は、前記水の侵入部高さより高い位置の側壁、天井沿いに上に凸の強化プラスチィック、防水シートなどを張ったことを特徴とする。
【発明の効果】
【００１５】想定外の津波であっても常に退避部屋内の上昇水面との間で生存空気が保持できるため、想定外の巨大津波対策にも有効で、しかも身近に設置できる津波退避部屋を提供する。安全設計高さに限界のない防潮堤や高台移転とは別に、予想津波高さの追加変更に修正の必要がなく有効で、津波到達時間が数分という予想地域では、地域防災計画で安心して立案、設計することができ、しかも順次完成、早期の完成が可能である。加えて総工事費も少ない。すぐ退避できるので多くの人命は助かる。退避部屋は、その水没中には入口から水が侵入するいわゆる入口解放の構造で、内部の上昇水面により天井との間に密閉構造を形成することで生存必要空気量を確保できる。水の侵入が自由であれば、当然に内外の水圧、圧縮空気圧がバランスされているので構造体は特別な耐圧設計を必要としないメリットがある。入口部には、例えば漂流物の侵入を防止する鋼製扉、耐衝撃性の鉄格子、油分の侵入を防止する耐火性フィルターで火災の炎の侵入を防止できる。このため、水面上で火災が心配される石油コンビナート地域、家庭用プロパンガス使用地域では特に有効であるといえる。また、密閉式の扉に比べて、逃げ遅れた人が到着してから扉を再び開けても何ら問題がない。すなわち、扉を閉めるタイミングに悩む必要はなく犠牲者を生む良心の呵責に苛まされることがない。水の侵入部はできるだけ低くした方が中の空気保持量の計算には有利となる。扉の下部を開口とする場合、扉に防水パッキンを設けるが、すぐ内外の水圧がバランスするので完全耐圧のパッキンである必要はない。防水性も外水面が入口高さまで水漏れしない程度でよい。中の仕切り壁の高さを水の侵入部の高さより高くすると、その奥の空間が生存必要空気量の計算となるため何も設けない場合より空気量に余裕ができるというメリットがある。しかも、仕切り壁により、津波が水の侵入部高さより高くなるまで水に濡れないという気分的な効果もある。扉を設けると仕切り壁は比較的低くてすむため、階段は最少であり介護高齢者や幼児には優しいといえる。万が一、扉が破れた場合でも、元々水は侵入しているため突入という事態とはならず、内部の仕切り壁が防御となる安心感も大きい。また、巨大地震により大きな変形、ひび割れを生じた場合でも上に凸の防水シートを張っておけば、残っている構造物の壁で形状がそれ以上崩れないため空気が保持され、さらなる安心につながる。上に凸、下に開口の内部で空気を保持できれば、水中では空気は上に上がるので、その囲いの中に生存必要空気量が守られたといえる。大勢の人命が退避部屋に避難するがその退避部屋が潰れたり、密閉空気を失ったりしては大惨事である。皮肉にも地震で避難前に崩壊していればまだしも、高台に逃げればよかったと遺族に責められる。数多くの人の命を預かる責任は重大である。万が一の安全対策を講じる必要がある。すなわち、例え構造体本体が損傷していようとも、津波の水没中に密閉空気量が逃げださないことが肝要である。ひび割れの退避部屋の壁とは隔絶した、人数＊時間相当の生存に必要な空気量を漏れ出さない、上に凸、下に開口の空気保持により生存できる。防水シートは身近の退避部屋の中に設置するので、まさしく２重で、究極の安全・安心を提供する。鉄筋コンクリート造りのマンション内では家族単位の避難部屋も可能でバラバラで逃げる必要もない。夜中や介護高齢者の避難訓練の負担も相当に軽減される。水没時間に比例して大きな空気量が必要であるが、鉄筋コンクリート造りの避難部屋は容量も大きく、百人単位の収容も可能で、校庭や屋上の身近な設置で学童など大勢の人命が助かる。学校、マンションなどの鉄筋コンクリート造りでは構造壁の共有で耐震補強を兼ねることができる。防潮堤の嵩上げや高台移転では想定外の津波に対して安全に限がなく、巨額の予算、長い歳月を要する。災害は、時と場所を選ばない。本発明で、来る東南海地震等の３連動、５連動による巨大津波に対しても早期に対応できるため、例えば１ｋｍごとの順次配置とかで防災計画立案にも役立つ。さらに、津波以外にも、高潮や台風、竜巻、大雨時の洪水、堤防決壊による河川氾濫時、海抜以下や天井川沿い地域の防災対策としても有効である。いずれにしても、水没しても生存必要空気量を保つことができる身近の退避部屋を計画配置した早急な地域防災総合計画の立案に役立つ。順次、個別に建設することができるので、無理のない予算計画、合意形成の順などでも実現性が高い。
【図面の簡単な説明】
【００１６】
【図１】退避部屋は高さ３ｍ、幅４ｍ、奥行き６ｍの鉄筋コンクリート構造で、入口は高さ１ｍ、幅１ｍとし、穴のない全面扉を設け、その下に０．２ｍの撤去容易なかまちを設けた津波退避部屋の外観図。
【図２】入口を解放とした場合の津波高さ（１ｍ、１０ｍ、２０ｍ、３０ｍ）と内部の穏やかな上昇水面との関係図
【図３】入口に水の侵入を許すが、漂流物と火災の侵入を許さない防水パッキン付き扉を設け、扉の下部を開口とした場合の津波高さ（１ｍ、１０ｍ、２０ｍ、３０ｍ）と内部の穏やかな上昇水面との関係図
【図４】入口に水の侵入を許すが、漂流物と火災の侵入を許さない防水パッキンなしの扉を設け、内部に１ｍ高さの仕切り壁を設けた場合の津波高さ（１ｍ、１０ｍ、２０ｍ、３０ｍ）と内部の穏やかな上昇水面との関係図
【図５】入口に水の侵入を許すが、漂流物と火災の侵入を許さないコンクリートブロックを積み上げた構築物とした退避部屋入口の例
【図６】入口に穴のない全面扉を設け、壁とは防水パッキンを設けた構造図。水の侵入は下の開口部とするが、火災の侵入防止に垂れ幕を施している。
【図７】全面扉の裏側に防水パッキンを設けた構造図。
【図８】入口に穴のない全面扉を設け、壁との隙間を水の侵入部とし、隙間に火災の侵入防止に耐油、難燃性のフィルターを設けた扉の例
【図９】全面扉に小穴を多数設けた扉の正面図。小穴に火災の侵入防止に垂れ幕を施す場合もある。
【図１０】格子状の鋼製扉に難燃性フィルター幕を組み合わせた扉の正面図
【図１１】金網状とした扉に難燃性フィルター幕を組み合わせた扉の正面図
【図１２】扉の内側に、漂流物の衝撃で開かないよう、防水パッキンを密着させるためのかんぬきを壁の内側との間に設けた例。
【図１３】入口部のかまちをコンクリートブロックとした例。
【図１４】内部に大人用、子供用の高床を高さ１．７ｍ、２．０ｍの２段に設け、側壁、天井沿いに防水シートを張った退避部屋の断面図
【発明を実施するための形態】
【００１７】発明を実施するための形態について述べる。津波退避部屋の構造は、入口閉鎖と入口開放の場合があるが、前者は密閉構造となるため全体に掛かる想定、想定外圧力に対して特殊設計を要する。後者は水の侵入を許すため内外の圧力がバランスして特殊な構造設計は要さない。生存必要空気量は入口高さ、水の侵入部高さを低くするほど多く確保できる。本発明では、入口は気密扉とせず、水の侵入を許す扉構造としている。そのため、漂流物の侵入を防ぐ鋼製扉、耐衝撃性の鉄格子状扉、衝撃緩和の金網状などの扉であるが、水の侵入を許す部分は扉自体もしくはその周辺、隙間に設け、その水の侵入部には火災の炎や油分の侵入を防止する難燃性フィルターや幕を設ける扉とその構成としている。入口の前面にコンクリートブロックなどを積み上げた構築物方式とすると経済的であり、津波後の泥土からの脱出も容易である。ただし、漂流物の衝撃で崩れないよう、ブロックをひも、網などで連結したりの作業を伴うとともに、最後には中からの作業となり壁との隙間が大きすぎたりのやり直しを伴う場合がある。介護高齢者、車椅子の人には当然最後にならないよう積み上げの段取りが必要だ。漂流物や火災の侵入を防止するために、扉を設けた方が煩雑さがなく安心である。扉は穴のない全面扉とした場合、防水パッキンを設ける方法と設けない方法がある。前者は扉の下部に開口を設け水の侵入口とする。後者は入口周辺の壁との間の隙間から水の侵入を確保できているといえる。扉に小穴を設ける場合は、火災の侵入防止と水が侵入しやすくするため多数設ける必要がある。格子状、柵状、金網状とする場合は油分を遮断するための難燃性のフィルターや幕をその隙間に組み込む。また、扉には両開き式、片開き式、落とし込み式、スライド式がある。外に泥土が堆積した場合を想定すると両開き式、片開き式は、脱出に苦労しそうである。落とし込み式は人が挟まれる心配があるし、上に上げるときに重い。スライド式も堆積泥土でスライドしなかったり、腐食、スライド機能維持などの問題がある。入口には平時の風雨の侵入防止のため約２０ｃｍ高さのかまちを設けるが、泥土の堆積が想定される地域では、これを撤去容易なコンクリートブロック材料で構築すれば、スコップで内部から堆積泥土の排除ができることから、頑丈な片開き式がより望ましい。平時の扉は防犯のため閉の状態とし、定期点検や訓練時に作動状況や腐食状況を確認する。水の侵入部の高さは、床面に近くて低い高さとすると最も多い空気量を保持できるが、扉に特に防水パッキンを用いなければ概ね入口頂点高さであるといえる。そこまでは津波の外水面高さと連動して同一水面で上昇するが、入口頂点高さより高くなると、津波の外水面の急激な上昇にかかわらず内部の水位は空気圧縮に従って穏やかに上昇する。中に設ける仕切り壁の高さは入口頂点高さより高くなるよう設置する。それより奥が退避スペースといえるが、外の津波高さが入口頂点高さより高くなると仕切り壁を越えて越流し、奥の退避スペースに水が侵入することは最初からの想定であり、あわてないよう周知しておく必要がある。高床、ビティなどの足場を設けておけば濡れることなく、かつ天井付近の空気を吸うことができる。防水シートをテントのように張ると例え地震で構造体にひび割れが入ってしまっていても空気が抜けることなく保持される。内外の圧力のバランスからシートは特別な耐圧シートである必要はなく、空気や水が漏れない上に凸の一枚ものであれば十分である。防水シートは壁とは接着させないため、形状保持のために単管の立体組などで枠組みしリフトアップすれば簡単にテント張りできる。退避部屋の平時は入口の防犯管理と携帯用送風機による空気の入れ換え程度が必要である。津波の後の脱出のために泥土をつつく棒またはスコップ、扉をたたく木槌、こじ開ける金属棒、バールさらにはしご、脚立、介護高齢者用いかだ、ボート、浮輪、ライフジャケット、オイルフェンス、スクーバ・タンク、懐中電灯、浮輪、ライフジャケット、耳栓、ドライバーなど必要に応じて用意しておけば何かと備えとなる。
【実施例１】
【００１８】扉を穴のない全面扉の片開き方式とし、パッキンを施した場合の実施例をあげる。扉の横幅は入口幅より大きくし、入口の壁表面に設けたパッキンと密着する。水を通す必要があるため、扉の下を開口部としている。いずれ水位は入口頂点高さに達するのでパッキンも完全気密扉用のような耐圧、耐水性を必要としない。扉は、漂流物の衝撃に耐えればよいだけである。下の開口部は、火災の侵入防止のための硬質樹脂などのスカート垂れ幕程度でよい。水の侵入高さが低いので保有空気量は扉の下からの計算となり大きく、高床があるので中の仕切り壁は特に必要としない。扉の裏側と内部の壁との間にかんぬきを設けて締め上げると防水効果は高まる。
【実施例２】
【００１９】扉を穴のない全面扉の片開き方式とし、パッキンを施さない実施例をあげる。水を通す必要があるため、入口の壁とは隙間を設け開口部としている。いずれ水位は入口頂点高さに達するので、扉は、漂流物の衝撃に耐えればよいだけである。隙間の開口部は、火災の侵入防止のための難燃性の多孔質材フィルターや幕があればよい。扉に小穴を多数あけた場合や格子状、金網状とした扉の場合も概ね同じである。扉の裏側と内部の壁との間にかんぬきを設けると漂流物の衝撃で開くことを防止できる。中に入口頂点高さより高い仕切り壁を設けると、設けない場合に比べて保持空気量が多くなるし、奥は少しでも濡れない空間ゾーンになる。
【実施例３】
【００２０】入口の前面にコンクリートブロックを積み上げた構築物とした実施例をあげる。ブロックと壁との間には密着したつもりでも隙間があるので水の侵入は確保できる。むしろ密着させた感じに積み上げるのがよい。漂流物で崩れないようブロックの穴を通して転結しておくと抵抗力は大きいといえる。積み上げる高さや横幅は入口寸法より大きく余裕をとっておくことが望ましい。避難訓練時に作業担当を決めて作業慣れしておく必要がある。
【実施例４】
【００２１】仕切り壁を設け、さらに高床を設けて防水シートを張った例をあげる。仕切り壁は入口頂点高さより高くすると保持空気量が多くなるし、奥は少しでも濡れない空間ゾーンになる。高床は子供用には天井から１ｍ、大人用には天井から．１．３ｍ程度とする。【００２２】また、参考として入口解放の津波退避部屋本体の設計例を示す。空地に設置した３ｍ＊４ｍ＊６ｍ、厚み０．３５ｍの鉄筋コンクリート造りの退避部屋とし、入口に漂流物や火災の侵入を防止するが、隙間から水の通過を許す扉を設置した退避部屋の例を示す。港湾空港技術研究所の射流実験から設計水平掃力を１５ｔｆ／ｍ２として、転倒モーメントには十分抵抗して大丈夫である。入口頂点高さを１ｍとし、仕切り壁の床からの高さを１．３ｍとし、高床高さを１．７ｍと２ｍとする。入口頂点高さの１ｍまでは周辺の水位に連動して上昇するが、１０ｍの津波で、周辺が１０ｍの水位で、内部は２気圧となり中の残りの空気体積が半分となるまで水位が上がる。津波５０ｍの水位では６気圧となり密閉空気体積は１／６になり、水位はそこまで上がる。高床には天井まで１ｍの空間高さがあるので十分に呼吸ができる。子供用には台、脚立を備えておく。退避用入口が解放開口部となっているので中の気圧と外の水圧が等しいため、構造的な外圧は特に考慮する必要はない。想定外としても極端な例であるが、９０ｍの津波が来たとしても１／１０の空気が残っている。入口解放といえども密閉空間の気密性は大切で、通気孔は設けてはならない。通気孔を設けると水面上昇の圧力で空気が逃げて一挙に危険となる。密閉空間に地震等によるコンクリートの津波前のひび割れができていれば水位が上がるときに空気が抜けていく。３ｍの天井高さまでの水位による気圧上昇は、０．２から０．３気圧なのでそれに耐えられる程度の２層防水シート、あるいは強化プラスチック、鋼板を敷設しておけば、ひび割れの伝達がなければ漏水に対応できる。仕切り壁を乗り越えるための階段等は当然に必要である。引き水後は泥が入口に堆積しているので撤去しやすいかまち材とともにスコップ、木槌を備えておく。あわせて、スクーバ・タンクを備えておけばより安心できる。
【産業上の利用可能性】
【００２３】連動地震による大津波が想定される東南海地域においては、早期かつ経済的で効果的対策が求められる。身近に設置でき、かつ想定外の津波にも安全安心な退避部屋は、大容量で大勢の退避が可能である。マンションなどで壁に装着すれば家族用にも可能である。建物の骨組み構造を兼ねることも可能で、さらに耐震補強壁としても設計施工に対応可能である。また、その他地域でも、既設建物に退避部屋を設置する増築工事で、より効果的な耐震対策、津波、高潮、洪水、竜巻など幅広い地域防災対策が可能となる。
【符号の説明】
【００２４】１入口解放の津波退避部屋
２入口部
３入口部の扉
４入口部の扉の下部のかまち部
５取手
６退避部屋構造本体の天井壁
７本体の側壁（内壁、外壁と部分表現するときもある）
８本体の床
９高さ１ｍ強の仕切り壁
１０入口部にコンクリートブロックを積み上げた構築物
１１高さ１．７ｍと１．０ｍの大人用と子供用の高床
１２内部に設置された上に凸、下に開口の防水シート。シートの裾はできるだけ下まである方が保有空気量は大きい。ただし、出入りにはめくる必要がある。
１３津波高さ０．２ｍ、１．０ｍ、１０ｍ、２０ｍ、３０ｍ、４０ｍの場合の津波退避部屋内の上昇水位と空気圧縮の様子、ここでは、Ｈ−１、−１０、−２０、−３０、−４０と表示している。
１４穴のない全面扉
１５扉の下の開口部の火災侵入防止の幕
１６扉の裏側の防水パッキン
１７扉の取り付けのちょうつがい
１８扉と壁との隙間に設けた火災防止用フィルター
１９小穴を設けた扉
２０格子状の鋼製扉
２１火災防止用フィルター
２２金網状とした扉
２３かんぬき
【図１】
0005462319.tif 000002
【図２】
0005462319.tif 000003
【図３】
0005462319.tif 000004
【図４】
0005462319.tif 000005
【図５】
0005462319.tif 000006
【図６】
0005462319.tif 000007
【図７】
0005462319.tif 000008
【図８】
0005462319.tif 000009
【図９】
0005462319.tif 000010
【図１０】
0005462319.tif 000011
【図１１】
0005462319.tif 000012
【図１２】
0005462319.tif 000013
【図１３】
0005462319.tif 000014
【図１４】
0005462319.tif 000015